(57)【要約】【課題】表示パネル用ケースの内部において、表示パネルに貼着されたフレキシブル配線基板が引っ張られても、このフレキシブル配線基板が表示パネルから剥離してしまうのを防止する。【解決手段】表示パネル用ケース１の側壁６のうち液晶表示パネル１０におけるフレキシブル配線基板２２が貼着されている端縁に対向する第１側壁６ａに、フレキシブル配線基板２２が挿通される貫通孔２５を形成し、貫通孔２５におけるフレキシブル配線基板２２の一端部が挿入される入口２５Ａを、液晶表示パネル１０およびフレキシブル配線基板２２の貼着位置と面一の位置に形成し、フレキシブル配線基板２２の一端部が導出される出口２５Ｂを、入口２５Ａの形成位置よりも底壁５側に形成する。【選択図】      図１
2008083357.tif 000002
【特許請求の範囲】
【請求項１】
底壁および前記底壁に立設された側壁を有し、前記底壁および前記側壁に囲まれた内部にフレキシブル配線基板が貼着された表示パネルを収納する表示パネル用ケースにおいて、
前記側壁のうち、前記表示パネルの端子部における前記フレキシブル配線基板が貼着されている端縁に対向する第１側壁に、前記フレキシブル配線基板が挿通される挿通手段が設けられていることを特徴とする表示パネル用ケース。
【請求項２】
前記挿通手段は、前記第１側壁に形成された貫通孔によって構成されている請求項１に記載の表示パネル用ケース。
【請求項３】
前記貫通孔における前記表示パネルに貼着された前記フレキシブル配線基板の一端部が挿入される入口は、前記表示パネルおよび前記フレキシブル配線基板の貼着位置と面一の位置、または前記貼着位置よりも前記底壁側に形成されている請求項２に記載の表示パネル用ケース。
【請求項４】
前記貫通孔における前記フレキシブル配線基板の一端部が導出される出口は、前記入口の形成位置よりも前記底壁側に形成されている請求項２または３に記載の表示パネル用ケース。
【請求項５】
前記挿通手段は、前記第１側壁に配設され、前記フレキシブル配線基板のうち前記端子部に対向しない露出面の一部分を囲む囲み部材によって構成されている請求項１に記載の表示パネル用ケース。
【請求項６】
前記表示パネルと、前記表示パネルに貼着されたフレキシブル配線基板と、底壁および前記底壁に立設された側壁を備え、前記底壁および前記側壁に囲まれた内部に前記フレキシブル配線基板が貼着された前記表示パネルを収納する表示パネル用ケースとを有する表示装置において、
前記側壁のうち、前記表示パネルにおける前記フレキシブル配線基板が貼着されている端縁に対向する第１側壁に、前記フレキシブル配線基板を挿通させる挿通手段が設けられていることを特徴とする表示装置。
【発明の詳細な説明】
【技術分野】
【０００１】
本発明は表示パネル用ケースおよび表示装置に係り、特に、フレキシブル配線基板が貼着された表示パネルを収納する表示パネル用ケースおよびこの表示パネル用ケースにフレキシブル配線基板が貼着された表示パネルを収納した表示装置に関する。
【背景技術】
【０００２】
従来より、コンピュータや携帯電話等の電気機器の表示手段として、例えば、一対の基板間に封入された液晶を駆動させて文字等の画像を表示する液晶表示パネル等の表示パネルが多用されている。そして、このような液晶表示パネル等の表示パネルは、表示パネル用ケースの内部に収納されるようになっている。
【０００３】
図５は、表示パネルが収納された従来の表示パネル用ケースの一例を示す模式的斜視図であり、図６は、図５の表示パネル用ケースに表示パネルが収納されている場合のＣ−Ｃにおける模式的断面図である。
【０００４】
図５および図６に示すように、従来の表示パネル用ケース３１は、矩形状の底壁３２を有し、底壁３２の周縁部には側壁３３が立設されており、底壁３２および側壁３３に囲まれた内部には、表示パネルとして例えば液晶表示パネル３５が収納されるようになっている。
【０００５】
この液晶表示パネル３５は、一対のパネル基板３６（３６ａ、３６ｂ）を有し、両パネル基板３６のうち一方のパネル基板３６ａは他方のパネル基板３６ｂと比較して平面形状が大きく形成され、この大きく形成された部分は、端子部３７とされている。両パネル基板３６の相互に対向する内面には、複数の表示電極３８が設けられており、各表示電極３８は、端子部３７に延設されて電極端子３９とされている。
【０００６】
各電極端子３９は、液晶表示パネル３５に電力を供給するためのフレキシブル配線基板４１のリード電極４２に接着材を介して導電接続されており、これにより、フレキシブル配線基板４１は、液晶表示パネル３５の端子部３７に貼着されている。
【０００７】
表示パネル用ケース３１の側壁３３のうち、表示パネルの端子部３７におけるフレキシブル配線基板４１が貼着されている端縁に対向する第１側壁３３ａには、フレキシブル配線基板４１の配置位置に対向する部分に開口部４３が切り欠き形成されている。そして、このような表示パネル用ケース３１において、液晶表示パネル３５の端部に貼着されたフレキシブル配線基板４１は、第１側壁３３ａに形成された開口部４３を介して表示パネル用ケース３１の外部に延出して配置されるようになっている。
【発明の開示】
【発明が解決しようとする課題】
【０００８】
しかし、前述のような従来の表示パネル用ケース３１の内部に収納された液晶表示パネル３５においては、フレキシブル配線基板４１における端子部３７に対向しない面（図６における上方の面）は表示パネル用ケース３１から露出する露出面とされている。このため、例えば、前記表示パネル用ケース３１に収納された液晶表示パネル３５を携帯電話等の電気機器に実装する際、フレキシブル配線基板４１が露出側に引っ張られてしまうことがあった。このような場合、フレキシブル配線基板４１と液晶表示パネル３５との貼着部分に負荷が加わり、この結果、フレキシブル配線基板４１が液晶表示パネル３５から剥離してしまうことがあるという問題を有していた。
【０００９】
本発明はこれらの点に鑑みてなされたものであり、表示パネルに貼着されたフレキシブル配線基板が引っ張られても、このフレキシブル配線基板が表示パネルから剥離してしまうのを防止することができる表示パネル用ケースおよび表示装置を提供することを目的とする。
【課題を解決するための手段】
【００１０】
前記目的を達成するため、本発明に係る表示パネル用ケースの特徴は、底壁および前記底壁に立設された側壁を有し、前記底壁および前記側壁に囲まれた内部にフレキシブル配線基板が貼着された表示パネルを収納する表示パネル用ケースにおいて、前記側壁のうち、前記表示パネルの端子部における前記フレキシブル配線基板が貼着されている端縁に対向する第１側壁に、前記フレキシブル配線基板が挿通される挿通手段が設けられている点にある。
【００１１】
この本発明に係る表示パネル用ケースによれば、表示パネルに貼着されているフレキシブル配線基板は、表示パネルを表示パネル用ケースの内部に収納する際、第１側壁の挿通手段に挿通されるので、フレキシブル配線基板における端子部に対向していない露出面の一部分は、挿通手段によって取り囲まれている。このため、表示パネルが表示パネル用ケースの内部に収納されている状態において、表示パネルに貼着されたフレキシブル配線基板が表示パネルの露出側に引っ張られてしまった場合でも、挿通手段によってフレキシブル配線基板の露出面の一部分を押さえることができる。これにより、フレキシブル配線基板が前記露出側に引っ張られてしまった場合であっても、端子部およびフレキシブル配線基板の貼着位置に加わる負荷を低減し、フレキシブル配線基板の剥離を防止することができる。
【００１２】
また、本発明に係る他の表示パネル用ケースの特徴は、前記挿通手段が、前記第１側壁に形成された貫通孔によって構成されている点にある。
【００１３】
この本発明に係る他の表示パネル用ケースによれば、フレキシブル配線基板は第１側壁に形成された貫通孔に挿通されるので、フレキシブル配線基板の露出面の一部分は、貫通孔によって取り囲まれている。このため、表示パネル用ケースの内部に表示パネルが収納されている状態において、フレキシブル配線基板が表示パネルの露出側に引っ張られてしまった場合でも、貫通孔の内面によってフレキシブル配線基板の露出面の一部分を押さえることができる。これにより、フレキシブル配線基板が前記露出側に引っ張られてしまった場合であっても、端子部およびフレキシブル配線基板の貼着位置に加わる負荷を低減し、フレキシブル配線基板の剥離を防止することができる。
【００１４】
また、前記貫通孔における前記表示パネルに貼着された前記フレキシブル配線基板の一端部が挿入される入口は、前記表示パネルおよび前記フレキシブル配線基板の貼着位置と面一の位置、または前記貼着位置よりも前記底壁側に形成されているとよい。これにより、フレキシブル配線基板が前記露出側に引っ張られても、貫通孔の内面によってフレキシブル配線基板の露出面の一部分をより確実に押さえることができる。
【００１５】
さらにまた、前記貫通孔における前記フレキシブル配線基板の一端部が導出される出口は、前記入口の形成位置よりも前記底壁側に形成されているとよい。これにより、フレキシブル配線基板が前記露出側に引っ張られても、貫通孔の内面によってフレキシブル配線基板の露出面の一部分をより確実に押さえることができる。
【００１６】
本発明に係る他の表示パネル用ケースの特徴は、前記挿通手段が、前記第１側壁に配設され、前記フレキシブル配線基板のうち前記端子部に対向しない露出面の一部分を囲む囲み部材によって構成されている点にある。
【００１７】
この本発明に係る他の表示パネル用ケースによれば、フレキシブル配線基板は第１側壁に配設された囲み部材に挿通されるので、フレキシブル配線基板の露出面の一部分は、この囲み部材によって取り囲まれている。このため、表示パネル用ケースの内部に表示パネルが収納されている状態において、フレキシブル配線基板が表示パネルの露出側に引っ張られてしまった場合でも、囲み部材の内面によってフレキシブル配線基板の露出面の一部分を取り囲んで押さえることができる。これにより、フレキシブル配線基板が前記露出側に引っ張られてしまった場合であっても、端子部およびフレキシブル配線基板の貼着位置に加わる負荷を低減し、フレキシブル配線基板の剥離を防止することができる。
【００１８】
さらに、本発明に係る表示装置の特徴は、前記表示パネルと、前記表示パネルに貼着されたフレキシブル配線基板と、底壁および前記底壁に立設された側壁をを備え、前記底壁および前記側壁に囲まれた内部に前記フレキシブル配線基板が貼着された前記表示パネルを収納する表示パネル用ケースとを有する表示装置において、前記側壁のうち、前記表示パネルにおける前記フレキシブル配線基板が貼着されている端縁に対向する第１側壁に、前記フレキシブル配線基板を挿通させる挿通手段が設けられている点にある。
【００１９】
この本発明に係る表示装置によれば、表示パネルに貼着されているフレキシブル配線基板は、表示パネルを表示パネル用ケースの内部に収納する際、第１側壁の挿通手段に挿通されるので、フレキシブル配線基板における端子部に対向していない露出面の一部分は、挿通手段によって取り囲まれている。このため、表示パネルが表示パネル用ケースの内部に収納されている状態において、表示パネルに貼着されたフレキシブル配線基板が表示パネルの露出側に引っ張られてしまった場合でも、挿通手段によってフレキシブル配線基板の露出面の一部分を押さえることができる。これにより、フレキシブル配線基板が前記露出側に引っ張られてしまった場合であっても、端子部およびフレキシブル配線基板の貼着位置に加わる負荷を低減し、フレキシブル配線基板の剥離を防止することができる。
【発明の効果】
【００２０】
以上述べたように、本発明に係る表示パネル用ケースおよび表示装置によれば、挿通手段によってフレキシブル配線基板の露出面の一部分を押さえることができるので、フレキシブル配線基板が前記露出側に引っ張られてしまった場合であっても、端子部およびフレキシブル配線基板の貼着位置に加わる負荷を低減することができる。これにより、フレキシブル配線基板が、液晶表示パネルの端子部から剥離してしまうのを防止することができる。
【発明を実施するための最良の形態】
【００２１】
以下、本発明に係る表示パネル用ケースに表示パネルが収納された表示装置の一実施形態を図１から図４を参照して説明する。ここで、本実施形態においては、表示パネルとして液晶表示パネルを用いて説明するが、本発明はこれに限定されるものではない。
【００２２】
図１は、本実施形態に係る表示パネル用ケースに液晶表示パネルが収納された表示装置を示す模式的斜視図であり、図２は、図１の表示装置のＡ−Ａにおける模式的断面図である。
【００２３】
図１および図２に示すように、本実施形態に係る表示装置２の表示パネル用ケース１は、矩形状の底壁５を有し、底壁５の周縁部には、それぞれ側壁６が立設されている。表示パネル用ケース１の底壁５および側壁６に囲まれた内部には、導光板７や光学フィルム８等が積層して収納されている。
【００２４】
また、表示パネル用ケース１の内部には、導光板７や光学フィルム８に積層して液晶表示パネル１０が収納されており、これら導光板７や光学フィルム８等を介して液晶表示パネル１０に照射光が照射されるようになっている。この液晶表示パネル１０は、導光板７等に対向する面とは反対側の面が、表示パネル用ケース１から露出して収納されている。この液晶表示パネル１０は、一対のパネル基板１１（１１ａ、１１ｂ）を有しており、両パネル基板１１のうち一方のパネル基板１１ａは他方のパネル基板１１ｂと比較して平面形状が大きく形成され、この大きく形成された部分は端子部１２とされている。
【００２５】
両パネル基板１１の相互に対向する内面には、複数の表示電極１３が配設されており、各表示電極１３は、端子部１２に延設されて第１電極端子１５とされている。各第１電極端子１５は、端子部１２上に配設された液晶駆動用ＩＣチップ１７の出力側電極１８に導電接続されており、液晶駆動用ＩＣチップ１７の入力側電極１９は、端子部１２の端縁部分に配設された各第２電極端子２０に導電接続されている。そして、各第２電極端子２０の先端部分は、液晶表示パネル１０に電力を供給するためのフレキシブル配線基板２２のリード電極２３に接着材を介して導電接続されており、これにより、フレキシブル配線基板２２は、端子部１２の端縁部分に貼着されている。
【００２６】
前記側壁６のうち端子部１２におけるフレキシブル配線基板２２が貼着されている端縁に対向して配置されている第１側壁６ａには、フレキシブル配線基板２２の配置位置に対向する部分に、開口部２１が切り欠き形成されている。開口部２１における頂面の高さ位置は、表示パネル用ケース１の内部に導光板７、光学フィルム８等および液晶表示パネル１０を積層して収納した際に、液晶表示パネル１０の端子部１２とフレキシブル配線基板２２との貼着位置と面一の位置に形成されている。
【００２７】
この第１側壁６ａには、フレキシブル配線基板２２が挿通される挿通手段として第１側壁６ａを貫通する貫通孔２５が形成されている。この貫通孔２５におけるフレキシブル配線基板２２が挿入される入口２５Ａは、第１側壁６ａの頂面、すなわち、端子部１２およびフレキシブル配線基板２２の貼着位置と面一の位置に形成されている。また、この貫通孔２５におけるフレキシブル配線基板２２が導出される出口２５Ｂは、第１側壁６ａの外面であって、入口２５Ａの形成位置よりも底壁５側に形成されている。
【００２８】
なお、第１側壁６ａの高さ寸法や、貫通孔２５の入口２５Ａおよび出口２５Ｂの形成位置は、本実施形態に限定されるものではないが、入口２５Ａは、前記貼着位置と面一の位置、または貼着位置よりも底壁５側（図２において下側）に形成され、出口２５Ｂは、入口２５Ａの形成位置よりも底壁５側に形成されていることが好ましい。
【００２９】
そして、液晶表示パネル１０の端子部１２に貼着されているフレキシブル配線基板２２は、貫通孔２５に挿通され、フレキシブル配線基板２２の一端部分は、表示パネル用ケース１の外部に延出されている。
【００３０】
このように、本実施形態に係る表示装置１においては、表示パネル用ケース１の内部には、光源は収納されておらず、液晶表示パネル１０の底面側に導光板７や光学フィルム８等を備えたライトガイドが収納されるようになっており、このような表示装置１においては、表示パネル用ケース１の外部に、導光板７に照射光を照射する光源が配設される。なお、本発明はこれに限定されず、表示パネル用ケース１の内部に光源を備えたライトユニットを収納してもよく、また、ライトガイドやライトユニットを収納しなくてもよい。
【００３１】
次に、本実施形態の作用について説明する。
【００３２】
本実施形態によれば、液晶表示パネル１０に貼着されているフレキシブル配線基板２２は、液晶表示パネル１０を表示パネル用ケース１の内部に収納する際、第１側壁６ａの貫通孔２５に挿通されるので、フレキシブル配線基板２２における端子部１２に対向していない露出面の一部分は、貫通孔２５によって囲まれている。このため、表示パネル用ケース１の内部に液晶表示パネル１０が収納された表示装置２を、携帯電話等の電子機器に実装する際に、液晶表示パネル１０に貼着されたフレキシブル配線基板２２が液晶表示パネル１０の露出側に引っ張られてしまった場合でも、貫通孔２５の内面によってフレキシブル配線基板２２の露出面の一部分を押さえることができる。
【００３３】
したがって、このように、貫通孔２５の内面によってフレキシブル配線基板２２の露出面の一部分を押さえることができるので、フレキシブル配線基板２２が前記露出側に引っ張られてしまった場合であっても、端子部１２およびフレキシブル配線基板２２の貼着位置に加わる負荷を低減することができる。これにより、フレキシブル配線基板２２が、液晶表示パネル１０の端子部１２から剥離してしまうのを防止することができる。
【００３４】
また、貫通孔２５の入口２５Ａを貼着位置と面一の位置、または貼着位置よりも底壁５側に形成し、出口２５Ｂを、入口２５Ａの形成位置よりも底壁５側に形成することにより、フレキシブル配線基板２２が前記露出側に引っ張られても、貫通孔２５の内面によってフレキシブル配線基板２２の露出面の一部分をより確実に押さえることができるので、これにより、フレキシブル配線基板２２が液晶表示パネル１０の端子部１２から剥離してしまうのをより確実に防止することができる。
【００３５】
続いて、本発明に係る表示パネル用ケース１に表示パネルが収納された表示装置２の第２の実施形態について図３および図４を用いて説明する。ここで、第１の実施形態と同一の構成については同一の符号を用いて説明し、詳細な説明を省略する。
【００３６】
図３は、第２の実施形態に係る表示パネル用ケース１に液晶表示パネル１０が収納された表示装置２を示す模式的斜視図であり、図４は、図３の表示装置２のＢ−Ｂにおける模式的断面図である。
【００３７】
図３および図４に示すように、第２の実施形態に係る表示パネル用ケース１の第１側壁６ａにおける開口部２１の頂面には、フレキシブル配線基板２２の挿通手段として、フレキシブル配線基板２２のうち端子部１２に対向しない露出面の一部分を囲むコ字状の囲み部材２７が配設されている。そして、液晶表示パネル１０の端子部１２に貼着されたフレキシブル配線基板２２は、囲み部材２７に挿通されて、フレキシブル配線基板２２の一端部分は、表示パネル用ケース１の外部に延出されるようになっている。
【００３８】
なお、第２の実施形態において、囲み部材２７は第１側壁６ａにおける開口部２１の頂面に配設されているが、これに限定されず、例えば、第１側壁６ａの外面に配設してもよい。
【００３９】
次に、本実施形態の作用について説明する。
【００４０】
本実施形態によれば、液晶表示パネル１０に貼着されているフレキシブル配線基板２２は、液晶表示パネル１０を表示パネル用ケース１の内部に収納する際、第１側壁６ａに配設された囲み部材２７に挿通されるので、フレキシブル配線基板２２の露出面の一部分は、囲み部材２７によって囲まれている。このため、液晶表示パネル１０用ケース１の内部に表示パネルが収納された表示装置２を、携帯電話等の電子機器に実装する際に、液晶表示パネル１０に貼着されたフレキシブル配線基板２２が液晶表示パネル１０の露出側に引っ張られてしまった場合でも、囲み部材２７の内面によってフレキシブル配線基板２２の露出面の一部分を押さえることができる。
【００４１】
したがって、このように、囲み部材２７の内面によってフレキシブル配線基板２２の露出面の一部分を押さえることができるので、フレキシブル配線基板２２が前記露出側に引っ張られてしまった場合であっても、端子部１２およびフレキシブル配線基板２２の貼着位置に加わる負荷を低減することができる。これにより、フレキシブル配線基板２２が、液晶表示パネル１０の端子部１２から剥離してしまうのを防止することができる。
【００４２】
なお、本発明は前記実施形態に限定されるものではなく、必要に応じて種々変更することが可能である。
【００４３】
例えば、本実施形態においては液晶表示パネル１０の端子部１２上に液晶駆動用ＩＣチップ１７が搭載されたＣＯＧ（Chip on Glass）形式の表示装置２を用いて説明したが、これに限定されるものではない。例えば、有機ＥＬ表示装置などの他の表示装置に適用してもよい。
【図面の簡単な説明】
【００４４】
【図１】本発明に係る表示装置の一実施形態を示す模式的斜視図
【図２】図１の表示装置のＡ−Ａにおける模式的断面図
【図３】本発明に係る表示装置の他の実施形態を示す模式的斜視図
【図４】図３の表示装置のＢ−Ｂにおける模式的断面図
【図５】従来の表示装置の一例を示す模式的斜視図
【図６】図５の表示装置のＣ−Ｃにおける模式的断面図
【符号の説明】
【００４５】
１  表示パネル用ケース
２  表示装置
５  底壁
６  側壁
６ａ  第１側壁
１０  液晶表示パネル
１１  パネル基板
１２  端子部
１５  第１電極端子
１７  液晶駆動用ＩＣチップ
２０  第２電極端子
２１  開口部
２２  フレキシブル配線基板
２５  貫通孔
２５Ａ  入口
２５Ｂ  出口
【図１】
2008083357.tif 000003
【図２】
2008083357.tif 000004
【図３】
2008083357.tif 000005
【図４】
2008083357.tif 000006
【図５】
2008083357.tif 000007
【図６】
2008083357.tif 000008